(57)【特許請求の範囲】
【請求項１】
機器を支持して地面に設置固定するための機器設置用基礎であって、
前記機器を水平一方向に位置調整可能に支持するための一方向調整用支持部が上面に設けられた平板ブロック状の第１基礎ブロックと、
前記水平一方向とは異なる方向の水平他方向に位置調整可能に前記機器を支持するための他方向調整用支持部が上面に設けられて、前記第１基礎ブロックの上面又は下面に選択自在に積層される平板ブロック状の第２基礎ブロックと、
前記第１基礎ブロックと前記第２基礎ブロックの積層状態で上下に連通するように前記第１基礎ブロックと前記第２基礎ブロックとに設けられる２組以上のボルト孔と、を備え、
前記２組以上のボルト孔のうち上下に連通する少なくとも１組のボルト孔が、前記第１基礎ブロックに形成したネジ孔と前記第２基礎ブロックに形成したばか孔とで構成され、前記上下に連通する少なくとも他の１組のボルト孔が、前記第２基礎ブロックに形成したネジ孔と、前記第１基礎ブロックに形成したばか孔とで構成されていることを特徴とする機器設置用基礎。
【請求項２】
前記第１基礎ブロックの片側半部とこれに重なる前記第２基礎ブロックの片側半部とに、それぞれ、前記上下に連通するネジ孔とばか孔の上下組合せが異なる２組のボルト孔を設けると共に、前記第１基礎ブロックの片側半部とは反対側の他側半部とこれに重なる前記第２基礎ブロックの他側半部にも、それぞれ、前記上下に連通するネジ孔とばか孔の上下組合せが異なる２組のボルト孔を設けたことを特徴とする請求項１記載の機器設置用基礎。
【請求項３】
前記２組以上のボルト孔のうち上がネジ孔、下がばか孔となる組のボルト孔にアンカーボルトが挿通されて地面に打ち込まれることを特徴とする請求項１又は２に記載の機器設置用基礎。
【請求項４】
前記２組以上のボルト孔のうち上がばか孔、下がネジ孔となる組のボルト孔に連結ボルトを挿入して、前記第１基礎ブロックと前記第２基礎ブロックとを互いに連結することを特徴とする請求項１から３の何れかに記載の機器設置用基礎。
【請求項５】
前記第１基礎ブロックと前記第２基礎ブロックは、それぞれ水平方向に並ぶ一対のブロック半体からなるとともに、ぞれぞれの片側のブロック半体と他側のブロック半体とが各々上下に重ね合わされた左右の主積層部と、前記主積層部の中間に位置して前記第１基礎ブロックの片側のブロック半体と前記第２基礎ブロックの他側のブロック半体とが上下に重ね合わされた境界積層部とからなり、
前記左右の主積層部及び前記境界積層部の各部には、前記２組以上のボルト孔のうち上がばか孔、下がネジ孔となる組のボルト孔と、上がネジ孔、下がばか孔となる組のボルト孔と、をそれぞれ設けたことを特徴とする請求項１から４の何れかに記載の機器設置用基礎。
【発明の詳細な説明】
【技術分野】
【０００１】
本発明は、機器設置用基礎に関し、詳しくは地面に対して固定されると共に上面に機器が設置される機器設置用基礎に関するものである。
【背景技術】
【０００２】
従来から、発電ユニットや排熱ユニット等の大型の屋外機器を住宅回りの地面上に設置する場合は、現地で型枠を組んでコンクリートを流し込む、所謂、現場打ち工法が採用されている。この場合、コンクリートの養生期間が経過するまで長時間を要し、このため基礎工事の短縮化が課題であった。
【０００３】
そこで従来より、図７に示すように、コンクリート基礎を上部プレハブブロック３０と下部プレハブブロック３１とに上下に２分割し、これら上下のプレハブブロック３０,３１を掘削孔底の地面上に積み重ねた状態で、両プレハブブロック３０,３１をボルトで接合一体化し、上部プレハブブロック３０上に温水器３５を設置するようにしたコンクリート基礎構造が知られている（特許文献１参照）。
【先行技術文献】
【特許文献】
【０００４】
【特許文献１】特許第３０７９４２２号公報
【発明の概要】
【発明が解決しようとする課題】
【０００５】
ところで、上記特許文献１の従来例にあっては、地震などの現象が生じた際に温水器３５が上部プレハブブロック３０の上面に対して安定した設置状態を維持しつづけることが必要である。つまり、温水器３５の脚部３６が仮に上部プレハブブロック３０の端部近く位置していると、地震などの振動発生時に脚部３６が上部プレハブブロック３０の平坦な上面を横滑りして脱落することが懸念される。そこで、温水器３５の脚部３６を上部プレハブブロック３０の端部から少なくとも５０ｍｍ程度以上の間隔Ｍをあけて配置することが好ましい。しかし、大型大重量の温水器３５を作業者が持ち上げながら前後左右に動かして、脚部３６を上部プレハブブロック３０上面で前後或いは左右に位置調整するのは困難を伴い、このため温水器３５の安定した設置に時間と手間がかかるという問題があった。
【０００６】
本発明は上記の事情に鑑みてなされたものであって、その目的とするところは、上下の基礎ブロックの地面に対する固定を強固に且つ簡易に行うことができると共に、基礎ブロック上面に対する機器の安定設置を容易に確保できる機器設置用基礎を提供することにある。
【課題を解決するための手段】
【０００７】
前記の課題を解決するために、請求項１記載の発明は、機器３を支持して地面に設置固定するための機器設置用基礎であって、前記機器３を水平一方向に位置調整可能に支持するための一方向調整用支持部４が上面に設けられた平板ブロック状の第１基礎ブロック１と、前記水平一方向とは異なる方向の水平他方向に位置調整可能に前記機器３を支持するための他方向調整用支持部５が上面に設けられて、前記第１基礎ブロック１の上面又は下面に選択自在に積層される平板ブロック状の第２基礎ブロック２と、前記第１基礎ブロック１と前記第２基礎ブロック２の積層状態で上下に連通するように前記第１基礎ブロック１と前記第２基礎ブロック２とに設けられる２組以上のボルト孔６Ａ,６Ｂと、を備えている。そして、前記２組以上のボルト孔６Ａ,６Ｂのうち上下に連通する少なくとも１組のボルト孔６Ａが、前記第１基礎ブロック１に形成したネジ孔６ａと前記第２基礎ブロック２に形成したばか孔６ｂとで構成され、前記上下に連通する少なくとも他の１組のボルト孔６Ｂが、前記第２基礎ブロック２に形成したネジ孔６ａと、前記第１基礎ブロック１に形成したばか孔６ｂとで構成されていることに特徴を有している。
【０００８】
このような構成することで、第２基礎ブロック２上に第１基礎ブロック１を重ねた積層態様にすれば、第１基礎ブロック１上面に設けた一方向調整用支持部４により機器３が一方向に位置調整可能となる。一方、第１基礎ブロック１上に第２基礎ブロック２を重ねた積層態様にすれば、第２基礎ブロック２上面に設けた他方向調整用支持部５により機器３が他方向に位置調整可能となる。これにより、基礎ブロック１,２の上下を入れ替えるだけで、一方向調整用支持部４又は他方向調整用支持部５を利用して、機器３の脚部１５を上側の基礎ブロック１（２）の端部から所定寸法以上離れた位置まで移動調整しやすくなり、地震などの振動発生時にも機器３を安定した設置状態に維持できると共に、施工時には上下組み合わせ式の基礎ブロック１,２の取り回しも容易となる。また、上下に連通する２組以上のボルト孔６Ａ,６Ｂのいずれかを利用して連結ボルトによる基礎ブロック１,２相互の連結が可能となる。更に、上下組み合わせ式の基礎ブロック１,２において、上がネジ孔６ａ、下がばか孔６ｂとなる組のボルト孔６Ａを通してアンカーボルト７を地面に打ち込むことにより、アンカーボルト７は上のネジ孔６ａに螺合して、上側の基礎ブロック１（２）と地面との間に下側の基礎ブロック２（１）を挟み付けることができ、上下の基礎ブロック１,２を地面に対して強固に固定可能となる。
【０００９】
また請求項２記載の発明においては、前記第１基礎ブロック１の片側半部とこれに重なる前記第２基礎ブロック２の片側半部とに、それぞれ、前記上下に連通するネジ孔６ａとばか孔６ｂの上下組合せが異なる２組のボルト孔６Ａ,６Ｂを設けると共に、前記第１基礎ブロック１の片側半部とは反対側の他側半部とこれに重なる前記第２基礎ブロック２の他側半部にも、それぞれ、前記上下に連通するネジ孔６ａとばか孔６ｂの上下組合せが異なる２組のボルト孔６Ａ,６Ｂを設ける構成とするのが好ましい。この場合、上下の基礎ブロック１,２の片側半部と他側半部の各々に、上下組合せが異なる２組のボルト孔６Ａ,６Ｂが存在しているので、アンカーボルト７による上下の基礎ブロックの固定や上下の基礎ブロック相互の連結をバランスよく行うことができる。
【００１０】
また請求項３記載の発明においては、前記２組以上のボルト孔６Ａ,６Ｂのうち上がネジ孔６ａ、下がばか孔６ｂとなる組のボルト孔６Ａにアンカーボルト７が挿通されて地面に打ち込まれる構成とするのが好ましい。この場合、アンカーボルト７は下のばか孔６ｂに螺合しないため、上のネジ孔６ａから地面に向けてスムーズに螺進させることができる。
【００１１】
また請求項４記載の発明においては、前記２組以上のボルト孔６Ａ,６Ｂのうち上がばか孔６ｂ、下がネジ孔６ａとなる組のボルト孔６Ｂに連結ボルト８を挿入して、前記第１基礎ブロック１と前記第２基礎ブロック２とを互いに連結する構成とするのが好ましい。この場合、連結ボルト８が下のネジ孔６ａに螺合することで上下の基礎ブロック１,２相互を互いに連結でき、これにより上下の基礎ブロック１,２間の位置ずれを防いで、機器３の設置を安定化させることができる。
【００１２】
また請求項５記載の発明においては、前記第１基礎ブロック１と前記第２基礎ブロック２は、それぞれ水平方向に並ぶ一対のブロック半体１Ａ,１Ｂ,２Ａ,２Ｂからなるとともに、ぞれぞれの片側のブロック半体１Ａ,２Ａと他側のブロック半体１Ｂ,２Ｂとが各々上下に重ね合わされた左右の主積層部９と、前記主積層部９の中間に位置して前記第１基礎ブロック１の片側のブロック半体１Ａ（１Ｂ）と前記第２基礎ブロック２の他側のブロック半体２Ａ（２Ｂ）とが上下に重ね合わされた境界積層部１０とからなり、前記左右の主積層部９及び前記境界積層部１０の各部には、前記２組以上のボルト孔６Ａ,６Ｂのうち上がばか孔６ｂ、下がネジ孔６ａとなる組のボルト孔６Ｂと、上がネジ孔６ａ、下がばか孔６ｂとなる組のボルト孔６Ａと、をそれぞれ設けた構成とするのが好ましい。この場合、上側に位置するブロック半体１Ａ,１Ｂ（又はブロック半体２Ａ,２Ｂ）の上面の面積増加が容易となり、機器３の脚部１５を上側のブロック半体１Ａ,１Ｂ（又はブロック半体２Ａ,２Ｂ）の端部から大きく離間して設置可能となる。しかも主積層部９と境界積層部１０の各々で、アンカーボルト７による地面への固定と、連結ボルト８によるブロック半体１Ａ,１Ｂ（２Ａ,２Ｂ）相互の連結とができるので、各ブロック半体１Ａ,１Ｂ,２Ａ,２Ｂの地面に対する固定強度を十分に確保できる。
【発明の効果】
【００１３】
以上のように、請求項１記載の発明によれば、アンカーボルトと連結ボルトとにより上下の基礎ブロックを地面に対して強固に固定できると共に、各基礎ブロック上面の一方向調整用支持部又は他方向調整用支持部の働きによって、基礎の設置の位置調整が容易となり、施工の利便性及び耐震性に優れた機器設置用基礎が得られる。
【００１４】
また請求項２記載の発明によれば、上下の基礎ブロックの片側半部と他側半部とにそれぞれ設けた上下組合せが異なる２組のボルト孔を利用して、上下の基礎ブロックの地面に対する固定及び上下の基礎ブロック相互の連結をバランスよく行うことができる。
【００１５】
また請求項３記載の発明によれば、アンカーボルトを上がネジ孔、下がばか孔となる組のボルト孔を通して地面に打ち込むことにより、アンカーボルトを上のネジ孔から地面に向けてスムーズに螺進させることができ、アンカーボルトの打ち込み作業が容易となる。
【００１６】
また請求項４記載の発明によれば、連結ボルトを上がばか孔、下がネジ孔となる組のボルト孔に挿入して上下の基礎ブロック同士を互いに連結することにより、上下の基礎ブロック間の位置ずれを防止でき、機器の設置の安定化を一層図ることができる。
【００１７】
また請求項５記載の発明によれば、水平に並ぶ一対のブロック半体を上下に積層することで、上に位置する基礎ブロック（一対のブロック半体）の上面の面積が増加して、機器の脚部を上側の基礎ブロックの端部から大きく離間して設置でき、耐震性の一層の向上が図られる。
【図面の簡単な説明】
【００１８】
【図１】本発明の一実施形態の発電ユニットを、第１基礎ブロック上に重ねた第２基礎ブロック上面の一方向調整用支持部により支持した状態の一例を示し、（ａ）は図２（ｄ）に対応する平面図であり、（ｂ）は（ａ）のＱ−Ｑ線に沿うボルト孔を説明する断面図であり、（ｃ）は（ａ）の矢印Ｐ方向から見た側面図である。
【図２】（ａ）は同上の第２基礎ブロックの斜視図、（ｂ）は同上の第１基礎ブロックの斜視図であり、（ｃ）は第２基礎ブロック上に第１基礎ブロックを積層した斜視図、（ｄ）は第１基礎ブロック上に第２基礎ブロックを積層した斜視図である。
【図３】（ａ）は図２（ｃ）に対応する平面図であり、（ｂ）は（ａ）のＲ−Ｒ線に沿うボルト孔を説明する断面図である。
【図４】本発明の他の実施形態の排熱ユニットを設置する基礎の一例であり、（ａ）は水平に並ぶ一対の第２ブロック半体よりなる第２基礎ブロックの斜視図であり、（ｂ）は水平に並ぶ一対の第１ブロック半体よりなる第１基礎ブロックの斜視図であり、（ｃ）は第２ブロック半体上に第１ブロック半体を積層した斜視図であり、（ｄ）は第１ブロック半体上に第２ブロック半体を積層した斜視図である。
【図５】（ａ）は図４（ｄ）に対応する平面図であり、（ｂ）は（ａ）のＲ−Ｒ線に沿うボルト孔を説明する断面図である。
【図６】（ａ）は図４（ｃ）に対応する平面図であり、（ｂ）は（ａ）のＲ−Ｒ線に沿うボルト孔を説明する断面図である。
【図７】従来例の説明図である。
【発明を実施するための形態】
【００１９】
以下、本発明の実施の形態について、図面を参照しながら説明する。
【００２０】
図１は、本実施形態の第２基礎ブロック２の他方向調整用支持部５により発電ユニット３Ａを支持する場合を示し、図２は第１基礎ブロック１と第２基礎ブロック２の積層態様の一例を示し、図３は第１基礎ブロック１の一方向調整用支持部４により発電ユニット３Ａを支持する場合を示している。
【００２１】
本例では、基礎に支持される機器３として、家庭用燃料電池のような発電ユニット３Ａを例示する。
【００２２】
基礎は、図２（ａ）（ｂ）に示すように、平板ブロック状の第１基礎ブロック１と、第１基礎ブロック１の上面又は下面に選択自在に積層される平板ブロック状の第２基礎ブロック２とに上下に２分割されている。これら基礎ブロック１,２はそれぞれ同じサイズで、例えば横幅７７０ｍｍ、縦幅５００ｍｍ、厚み３０ｍｍ、重量５２ｋｇの平板コンクリートブロックで構成されている。
【００２３】
第１基礎ブロック１の上面には、図２（ｂ）に示すように、一方向調整用支持部４が設けられている。第２基礎ブロック２の上面には、図２（ａ）に示すように、他方向調整用支持部５が設けられている。以下において、水平一方向を、建物の外壁面に対して垂直な前後方向Ａとし、この水平他方向と直交する水平他方向を、建物の外壁面と平行な左右方向Ｂとして説明する。
【００２４】
本例の一方向調整用支持部４は、図３に示すように、第１基礎ブロック１上面に前後方向Ａに沿ってストレート状に延在された凹溝内にアルミ製レールを嵌め込んだ一方向レール溝１３により構成されている。この一方向レール溝１３は、発電ユニット３Ａの左右の脚部１５,１５間の間隔Ｄ（図３（ａ））と同じ間隔をあけて２条設けられている。各一方向レール溝１３,１３は、それぞれ、第１基礎ブロック１の上面よりも一段低く凹んでいて、発電ユニット３Ａの脚部１５,１５を前後方向Ａにスライド可能に嵌合支持するものである。
【００２５】
また、本例の他方向調整用支持部５は、図１に示すように、第２基礎ブロック２上面に左右方向Ｂに沿ってストレート状に延在された凹溝内にアルミ製レールを嵌め込んだ他方向レール溝１４により構成されている。この他方向レール溝１４は、発電ユニット３Ａの前後の脚部１５,１５間の間隔Ｃ（図１（ａ））と同じ間隔をあけて、２条設けられている。各他方向レール溝１４,１４は、それぞれ、第２基礎ブロック２の上面よりも一段低く凹んでいて、発電ユニット３Ａの脚部１５,１５を左右方向Ｂにスライド可能に嵌合支持するものである。
【００２６】
第１基礎ブロック１と第２基礎ブロック２は、第２基礎ブロック２上に第１基礎ブロック１を重ねた積層態様（図２（ｃ））と、第１基礎ブロック１上に第２基礎ブロック２を重ねた積層態様（図２（ｄ））とが、現場で任意に選択される。
【００２７】
また、第１基礎ブロック１と第２基礎ブロック２には、それぞれ、両基礎ブロック１,２を上下に重ねたときに、上下組み合わせが異なる４組のボルト孔６Ａ,６Ｂが穿孔されている。本例では、図１（ａ）、（ｂ）に示すように、第１基礎ブロック１の片側半部とこれに重なる第２基礎ブロック２の片側半部には、それぞれ、上下組み合わせが異なる２組のボルト孔６Ａ,６Ｂが設けられている。さらに、第１基礎ブロック１の片側半部とは反対側の他側半部とこれに重なる第２基礎ブロック２の他側半部にも、それぞれ、上下組み合わせが異なる２組のボルト孔６Ａ,６Ｂが設けられている。
【００２８】
各組のボルト孔６Ａ,６Ｂにはアンカーボルト７又は連結ボルト８のいずれか一方が挿入可能とされる。なお図２（ａ）〜（ｄ）ではボルト孔６Ａ,６Ｂの図示を省略している。
【００２９】
ここで、図１（ｂ）に示すように、ボルト孔６Ａは、上がネジ孔６ａ、下がばか孔６ｂの上下組み合わせからなる。別のボルト孔６Ｂは、上がばか孔６ｂ、下がネジ孔６ａの上下組み合わせからなる。各ネジ孔６ａにはボルト螺合用の雌ネジが刻設され、その上部にはボルト頭部を収納する座ぐり部１７が形成されている。各ばか孔６ｂは、ボルト軸よりも大径に形成されていて、平滑なルーズホールとなっており、その上部にはボルト頭部を収納する座ぐり部１８が形成されている。
【００３０】
そして、図１（ｂ）に示すように、上がネジ孔６ａ、下がばか孔６ｂとなった組のボルト孔６Ａにはアンカーボルト７が挿通され、上がばか孔６ｂ、下がネジ孔６ａとなった組のボルト孔６Ｂには連結ボルト８が挿入される。なお、図中の２０は、発電ユニット３Ａのアース線や電気配管等の配線用透孔である。
【００３１】
次に、施工手順の一例を説明する。
【００３２】
まず、発電ユニット３Ａの設置場所の地面に掘削孔を掘り、孔底の地面を水平に整地して、その上に第１基礎ブロック１と第２基礎ブロック２とを上下に積層して設置する。このとき、後工程で発電ユニット３Ａを前後方向Ａに位置調整できるようにする場合は、第２基礎ブロック２上に第１基礎ブロック１を重ねて、第１基礎ブロック１上面の一方向レール溝１３の向きを前後方向Ａに揃えておく。一方、後工程で発電ユニット３Ａを左右方向Ｂに位置調整できるようにする場合は、第１基礎ブロック１上に第２基礎ブロック２を重ねて、第２基礎ブロック２上面の他方向レール溝１４の向きを左右方向Ｂに揃えておく。
【００３３】
ここで、例えば図１の積層態様を選択したときは、上側の第２基礎ブロック２の上面の水平出しをした後に、連結ボルト８を上がばか孔６ｂ、下がネジ孔６ａとなる組のボルト孔６Ｂに上から挿入して、連結ボルト８を下のネジ孔６ａに螺合させる。このとき連結ボルト８の頭部はばか孔６ｂの座ぐり部１８に係止されるので、連結ボルト８によって上下の基礎ブロック１,２同士を互いに強固に連結できる。
【００３４】
さらに、アンカーボルト７を上がネジ孔６ａ、下がばか孔６ｂとなる組のボルト孔６Ａに挿通して地面に打ち込む。このときアンカーボルト７はネジ孔６ａのみに螺合して、アンカーボルト７の頭部は座ぐり部１７に係止され、アンカーボルト７の先端は地面に打入された状態となる。これにより、連結ボルト８とアンカーボルト７とを用いて上下の基礎ブロック１,２を地面２１に対して強固に固定できる。
【００３５】
その後、発電ユニット３Ａを第２基礎ブロック２上面に設置する。つまり、発電ユニット３Ａの各脚部１５,１５を他方向レール溝１４に各々嵌め込むことで発電ユニット３Ａを他方向レール溝１４に沿って左右方向Ｂに位置調整可能に設置できる。これにより、発電ユニット３Ａの各脚部１５,１５を上側の基礎ブロック１（２）の端部から所定寸法（５０ｍｍ以上）離れた位置に移動させることが容易となる。なお、図２（ｃ）、図３に示すように上側に第１基礎ブロック１を位置させた場合は、一方向レール溝１３に発電ユニット３Ａの各脚部１５,１５を各々嵌め込むことで発電ユニット３Ａを一方向レール溝１３に沿って前後方向Ａに位置調整しやすくなる。最後に、各脚部１５,１５をネジ固定して、発電ユニット３Ａの設置が終了する。
【００３６】
上記構成によれば、アンカーボルト７が上のネジ孔６ａから下のばか孔６ｂを通して地中に打入することで、上下の基礎ブロック１,２を地面に対して強固に固定できるようになり、しかもアンカーボルト７は下のばか孔６ｂには螺合しないため、アンカーボルト７が螺進しやすくなり、打ち込み作業をスムーズに行うことができる。そのうえ施工時には上下に２分割された基礎ブロック１,２の取り回しが容易となる。さらに、基礎ブロック１,２を上下に入れ替えるだけで、発電ユニット３Ｂの前後方向Ａ又は左右方向Ｂへの位置調整がしやすくなる。
【００３７】
これにより、強固で且つ耐震性に優れた基礎作りを誰にでも簡単にできると共に、発電ユニット３Ａの設置の位置調整が容易にできるようになり、結果、作業者の習熟度に左右されない、一定品質での基礎工事及び現場作業を短時間、例えば作業開始から１時間程度或いはそれよりも短い時間で行うことができ、施工工事の利便性が大幅に向上する。
【００３８】
また、上がばか孔６ｂ、下がネジ孔６ａとなる組のボルト孔６Ｂを、連結ボルト８により連結できるので、上下の基礎ブロック１,２間の位置ずれを確実に防止でき、発電ユニット３Ａの設置の安定化が一層図られることになる。
【００３９】
そのうえ、上下の基礎ブロック１,２の片側半部と他側半部の各々に、上下組み合わせが異なる２組のボルト孔６Ａ,６Ｂを設けているので、アンカーボルト７による上下の基礎ブロック１,２の固定と連結ボルト８による連結とを、上下の基礎ブロック１,２全体でバランスよく行うことができる利点もある。
【００４０】
図４は他の実施形態であり、電気温水器やガス温水器などの排熱ユニット３Ｂを設置する基礎ブロック１,２の一例を示している。図５は図４（ｄ）の積層態様に対応する図であり、図６は図４（ｃ）の積層態様に対応する図である。
【００４１】
本例の第１基礎ブロック１は、巾寸法が異なる左右一対の第１ブロック半体１Ａ,１Ｂで構成されており、第２基礎ブロック２は、巾寸法が異なる左右一対の第２ブロック半体２Ａ,２Ｂで構成されている。一例として、巾広のブロック半体１Ａ,２Ａはそれぞれ、例えば、横幅５００ｍｍ、縦幅７７０ｍｍ、厚み６０ｍｍ、重量５２ｋｇのコンクリートブロックで構成されている。巾狭のブロック半体１Ｂ,２Ｂは、例えば、横幅４００ｍｍ、縦幅７７０ｍｍ、厚み６０ｍｍ、重量４２ｋｇのコンクリートブロックで構成されている。
【００４２】
本例の第２ブロック半体２Ａ,２Ｂの上面には、図５に示すように、２条の他方向レール溝１４がそれぞれ設けられている。排熱ユニット３Ｂの後側に位置する左右の脚部１５,１５が後側の他方向レール溝１４にスライド支持可能とされ、前側に位置する左右の脚部１５,１５が前側の他方向レール溝１４にスライド支持可能とされている。
【００４３】
また第１ブロック半体１Ａ,１Ｂの上面には、図６に示すように、２条の一方向レール溝１３がそれぞれ設けられている。第１ブロック半体１Ａの内側の一方向レール溝１３と第１ブロック半体１Ｂの内側の一方向レール溝１３とで、排熱ユニット３Ｂの後側の左右の脚部１５,１５がスライド支持可能とされており、第１ブロック半体１Ａの外側の一方向レール溝１３と第１ブロック半体１Ｂの外側の一方向レール溝１３とで、排熱ユニット３Ｂの前側の左右の脚部１５,１５がスライド支持可能とされている。
【００４４】
そして、第１ブロック半体１Ａ,１Ｂの上面に第２ブロック半体２Ａ,２Ｂを積層した状態（図４（ｄ）、図５）、或いは、第２ブロック半体２Ａ,２Ｂの上面に第１ブロック半体１Ａ,１Ｂを積層した状態（図４（ｃ）、図６）のいずれにおいても、上方から見て第１ブロック半体１Ａ,１Ｂの境界ラインと第２ブロック半体２Ａ,２Ｂの境界ラインとが左右方向にずれた、所謂あいじゃくり状になっており、このあいじゃくりの積層部分を境界積層部１０と定義し、あいじゃくり以外の積層部分を主積層部９と定義する。
【００４５】
本例では、左右の主積層部９の中間に境界積層部１０が存在しており、左右の主積層部９には、それぞれ、上下組み合わせが異なる２組のボルト孔６Ａ,６Ｂが複数組（図５、図６の例では４組）設けられており、境界積層部１０には、上下組み合わせが異なる２組のボルト孔６Ａ,６Ｂが複数組（本例では２組）設けられている。この上下組み合わせが異なる２組のボルト孔６Ａ,６Ｂとは、前記実施形態と同様、上がネジ孔６ａ、下がばか孔６ｂの１組のボルト孔６Ａと、上がばか孔６ｂ、下がネジ孔６ａの１組のボルト孔６Ｂとを含むものとする。なお図４（ａ）〜（ｄ）ではボルト孔６Ａ,６Ｂの図示を省略している。他の構成は前記実施形態と同一であり、対応する箇所には同一符号を付して詳細な説明は省略する。
【００４６】
しかして、排熱ユニット３Ｂの脚部１５を水平に並ぶブロック半体１Ａ,１Ｂ（又はブロック半体２Ａ,２Ｂ）の端部から５０ｍｍ以上離して設置することが容易となり、地震時の排熱ユニット３Ｂの脱落防止効果が得られる。しかも、主積層部９と境界積層部１０のそれぞれにおいて、上下組み合わせの異なるボルト孔６Ａ,６Ｂを用いてアンカーボルト７（図１（ｂ））による地面への固定と連結ボルト８による連結とが行われるので、各ブロック半体１Ａ,１Ｂ,２Ａ,２Ｂの地面に対する固定強度を十分に確保でき、排熱ユニット３Ｂの設置の安定性を十分に確保できるものとなる。そのうえ、あいじゃくり状の境界積層部１０において、第１ブロック半体１Ａ,１Ｂ間の境界ラインと第２ブロック半体２Ａ,２Ｂ間の境界ラインとが上下に連続しない構造となるため、地震などの現象が生じた際に境界ラインに沿って第１ブロック半体１Ａ,１Ｂと第２ブロック半体２Ａ,２Ｂとが分離しにくい構造となり、結果、安定した固定強度を長期に亘って維持しつづける利点もある。
【００４７】
なお、上下組み合わせの異なる２組のボルト孔６Ａ,６Ｂの組数やその形成位置は、図１、図３、図５、図６の例に限定されるものではなく、適宜に設計変更自在である。
【００４８】
本発明の機器設置用基礎は、発電ユニット３Ａや排熱ユニット３Ｂ等の機器３に限らず、エアコン室外機などの各種の屋外機器の設置に広範囲で適用可能である。
【符号の説明】
【００４９】
１  第１基礎ブロック
２  第２基礎ブロック
３  機器
３Ａ  発電ユニット
３Ｂ  排熱ユニット
４  一方向調整用支持部
５  他方向調整用支持部
６Ａ,６Ｂ  ボルト孔
６ａ  ネジ孔
６ｂ  ばか孔
７  アンカーボルト
８  連結ボルト
９  主積層部
１０  境界積層部
１３  一方向レール溝１３
１４  他方向レール溝１４
１５  機器の脚部
Ａ  前後方向
Ｂ  左右方向
【図１】
0005628723.tif 000002
【図２】
0005628723.tif 000003
【図３】
0005628723.tif 000004
【図４】
0005628723.tif 000005
【図５】
0005628723.tif 000006
【図６】
0005628723.tif 000007
【図７】
0005628723.tif 000008